(57)【特許請求の範囲】
【請求項１】
相対的に開閉される二つ折りの開閉体を互いに開閉可能に連結する開閉装置であって、この開閉装置を、断面非円形状の取付部と大径部と同じく断面非円形状の変形中径部と同じく断面非円形状の変形小径部とを有するシャフトと、このシャフトの前記変形中径部をその中心部軸方向に設けた挿通孔へ回転可能に挿通させて設けられると共にその外周より軸方向へ伸びる係止溝を備えた覆部を有する固定カムと、前記シャフトの前記変形中径部に回転を拘束されて軸方向へ摺動可能に取り付けられて前記覆部の一方の側に収容された摺動カムと、前記固定カムと前記摺動カムの互いの対向面に設けられたカム部と、前記摺動カムを前記固定カム側へ摺動附勢させるべく前記シャフトの前記大径部と当該摺動カムとの間に前記変形中径部に環巻きさせつつ設けた弾性手段と、前記固定カムの端面に面圧接して回動すべく前記シャフトの前記変形中径部に回転を拘束された状態で前記覆部の他方の側に収容して設けられたフリクションワッシャーと、このフリクションワッシャーに面圧接して前記シャフトの変形小径部に回転を拘束された状態で前記覆部の他方の側に収容されて設けられた押え用ワッシャーとを備えた単体で構成し、この開閉装置の単体を、前記開閉体のそれぞれの連結部の軸方向に設けた断面非円形状の変形取付孔へ挿入させることによって前記各開閉体の連結が成されるように構成すると共に、前記固定カムの前記係止溝を前記開閉体の一方の連結部の前記変形取付孔と係合させることにより共に回転し、前記シャフトが前記開閉体の他方のものと共に回転するように構成したことを特徴とする、開閉装置。
【請求項２】
前記二つ折りの開閉体は、携帯電話機の送話部と受話部であり、この送話部と受話部のいずれか一方の連結部に前記固定カムを共に回転するように取り付け、他方の連結部に前記シャフトの前記取付部が共に回転するように取り付けたことを特徴とする、請求項１に記載の開閉装置。
【発明の詳細な説明】
【０００１】
【発明の属する技術分野】
この発明は、二つ折りに折り畳まれた携帯電話機の受話部と送話部のような開閉体を、相対的に開閉する際に用いて好適な開閉装置に関する。
【０００２】
【従来の技術】
従来より、この二つ折りの携帯電話機の開閉装置として、受話部に対して送話部を（或はその逆の場合もある、以下同じ）、ワンタッチで開くことができるようにしたり、或はフリーストップに開くことのできるさまざまなタイプのものが公知である。
【０００３】
【発明が解決しようとする課題】
二つ折りの携帯電話機においては、何と言っても受話部に対して送話部をワンタッチで開くことができる構造簡単で安価な開閉装置が求められている。それはこの二つ折りの携帯電話機をとくに受信時に片手で操作することができるからである。
【０００４】
しかるに、上述した従来公知のものは、構造が複雑に過ぎたり、或は組み込みに時間と手間を要するなどして、製作コストが高くつき、故障も多いという問題があった。
【０００５】
そこで、この発明の目的は、二つ折りであり相対的に開閉される一対の開閉体に用いられるものであって、可及的に簡単な構造を有し、かつ、携帯電話機への組み込みにも時間と手間を要しない、とくに二つ折りの携帯電話機に用いて好適な開閉装置を提供せんとするにある。
【０００６】
以下にこの発明をその主たる用途である二つ折り式の携帯電話機に実施した場合について説明するが、この発明は二つ折りの開閉体で、相対的に開閉される開閉体に広く実施できるものである。
【０００７】
【課題を解決するための手段】
上述した目的を達成するためにこの発明は、相対的に開閉される二つ折りの開閉体を互いに開閉可能に連結する開閉装置であって、この開閉装置を、断面非円形状の取付部と大径部と同じく断面非円形状の変形中径部と同じく断面非円形状の変形小径部とを有するシャフトと、このシャフトの前記変形中径部をその中心部軸方向に設けた挿通孔へ回転可能に挿通させて設けられると共にその外周より軸方向へ伸びる係止溝を備えた覆部を有する固定カムと、前記シャフトの前記変形中径部に回転を拘束されて軸方向へ摺動可能に取り付けられて前記覆部の一方の側に収容された摺動カムと、前記固定カムと前記摺動カムの互いの対向面に設けられたカム部と、前記摺動カムを前記固定カム側へ摺動附勢させるべく前記シャフトの前記大径部と当該摺動カムとの間に前記変形中径部に環巻きさせつつ設けた弾性手段と、前記固定カムの端面に面圧接して回動すべく前記シャフトの前記変形中径部に回転を拘束された状態で前記覆部の他方の側に収容して設けられたフリクションワッシャーと、このフリクションワッシャーに面圧接して前記シャフトの変形小径部に回転を拘束された状態で前記覆部の他方の側に収容されて設けられた押え用ワッシャーとを備えた単体で構成し、この開閉装置の単体を、前記開閉体のそれぞれの連結部の軸方向に設けた断面非円形状の変形取付孔へ挿入させることによって前記各開閉体の連結が成されるように構成すると共に、前記固定カムの前記係止溝を前記開閉体の一方の連結部の前記変形取付孔と係合させることにより共に回転し、前記シャフトが前記開閉体の他方のものと共に回転するように構成したことを特徴とする。
【０００８】
この発明はまた、前記二つ折りの開閉体を、携帯電話機の送話部と受話部とし、この送話部と受話部のいずれか一方の連結部に前記固定カムを共に回転するように取り付け、他方の連結部に前記シャフトの前記取付部が共に回転するように取り付けたことを特徴とする。
【０００９】
【発明の実施の形態】
図面はこの発明を二つ折りの携帯電話機に実施した場合の実施例を示し、図１において、指示記号１は一方の開閉体を構成する受話部であり、表面にレシーバー部１ａとディスプレー部１ｂが設けられている。その他、指示記号２はアンテナ、４ａはロック手段４の押釦である。尚、このロック手段４は、一例として後述するように磁力吸着手段を示したが、この実施例のものに限定されるものではなく、その他の構成の係止手段から成るロック手段に代えることができる。この係止手段から成るロック手段は、例えば、スプリングを作用させた係止爪で、一方が他方を係止し、この係止を解くことで、開成させることができるように構成したものが考えられよう。
【００１０】
指示記号５はもう一方の開閉体を構成する送話部であり、その表面にマイク部５ａとキーボード部５ｂが設けられている。
【００１１】
受話部１と送話部５は、とくに図２に示したように、各々の端部に設けた連結部１ｃ，１ｃと５ｃの間に設置された単体としての開閉装置６，７を介して相対的に開閉自在に連結される。この開閉装置６，７の設置部分は、図１において表示すると、矢印ＡとＢで示された部分になる。このようにして、受話部１と送話部５は、左右一対の単体としての開閉装置６，７を介して相対的に開閉されるが、この開閉装置６，７の構成は、左右対称となっているだけで、構造は同じであるので、以下に左側の開閉装置６について説明する。尚、３，３は後述する断面非円形状の変形取付孔１ｄ，１ｄに圧入される栓体である。この圧入は捻子着でも良い。
【００１２】
図３乃至図１０において、指示記号８は中央部に軸受部９で仕切ってなる丸ケース状の固定カムであり、この軸受部９の外周より軸方向へ左右へ９０°間隔で４本の係止溝８ａを有する覆部８ｂが設けられている。この固定カム８は受話部１の連結部１ｃに設けた変形取付孔１ｄ内に挿入されることによって収納され、各係止溝８ａを変形取付孔１ｄに設けた同じく４本の突条１ｅと係合させることにより受話部１と一緒に回転するように構成されている。固定カム８の軸受孔９ａを設けた部分の左側面は平坦に構成されているが、右側面には、１８０°間隔を置いて一対の凸部９ｂ，９ｂから成るカム部１０が設けられている。
【００１３】
指示記号１１はシャフトであり、このシャフト１１は、両側を削り取ることによって形成された断面非円形状の変形取付部１２と、この変形取付部１２に続いて設けられた大径部１３と、この大径部１３に続いて設けられた同じく断面非円形状の変形中径部１４と、この変形中径部１４に続いて設けられた同じく断面非円形状の変形小径部１５から成り、変形取付部１２を送話部５の連結部５ｃに設けた変形取付孔５ｄに挿入係止させると共に、変形中径部１４の一側部側を固定カム８の軸受孔９ａへ軸受させている。変形中径部１４には、中心部に設けた変形孔１６ａへ挿通させて、摺動カム１６がシャフト１１と共に回転するように、かつ摺動自在に軸挿されており、この摺動カム１６とシャフト１１の大径部１３との間には、変形中径部１４の回りに環巻きされつつコンプレッションスプリングから成る弾性手段１７が弾設され、摺動カム１６をカム部１０側へ押圧させている。
【００１４】
この摺動カム１６には、とくに図９と図１０に示したように、固定カム８のカム部１０と対向する側に１８０°間隔で設けられた一対の凹部１６ｂ，１６ｂと、この凹部１６ａ，１６ａ間を結ぶ、なだらかな起伏を有する凸部１６ｃ，１６ｃとから成るカム部１９が設けられ、固定カム８の覆部８ｂの一方の側に収容されつつカム部１０の凸部９ｂ，９ｂと圧接している。
【００１５】
固定カム８の平坦な左側面側には、変形中径部１４をその中心部に設けた変形孔１８ａに挿通させつつ、例えば燐青銅製のフリクションプレート１８が設けられており、このフリクションプレート１８は回転シャフト１１の変形小径部１５にその変形孔２０ａを挿通させつつ、該変形小径部１５の端部をかしめることによって、該変形小径部１５に固着された押えワッシャー２０を介して、固定カム８に対し面接触している。フリクションプレート１８と押え用ワッシャー２０は、固定カム８に設けた覆部８ｂの他方の側に収容されている。
【００１６】
そして、このフリクションプレート１８は、弾性手段１７を介して、回転シャフト１１が一方向（図面では右方向）へ摺動附勢されていることにより、固定カム８へ圧接させられている。したがって、この圧接力から生ずるフリクリョントルクは、カム部１０に対する摺動カム１６の位置によって、その強弱の変化が生じる構成である。
【００１７】
次に、開閉装置６，７の単体を開閉体に組み込んで両者を相対的に開閉可能に連結するに当っては、まず固定カム８の側を一方の開閉体を構成する受話部１の連結部１ｃの軸方向に設けた変形取付孔１ｄへシャフト１１の大径部１３に達する位置まで挿入させてやり、その変形取付孔１ｄと固定カム８を係合させ、しかる後シャフト１１の変形取付部１２の端部をもう一方の開閉体を構成する送話部５の連結部５ｃに当てがい、シャフト１１を軸方向に押して押し込みつつ、連結部５ｃを連結部１ｃ，１ｃ間へ嵌入させてその断面非円形状の変形取付孔５ｄへシャフト１１の変形取付部１２を挿入係合させるものであり、このことによって、簡単に開閉体への組み付け、即ち送話部５と受話部１の連結が完了するものである。
【００１８】
図１０は、カム部１０の凸部９ｂ，９ｂに対する摺動カム１６のカム部１９の圧接位置が、受話部と送話部の相対的開成位置によって、どのように変化するかを表わしたものであり、受話部１と送話部５を図１１に示したように２つ折りにして閉じた状態において、固定カム８のカム部１０の凸部９ｂ，９ｂは、摺動カム１６のカム部１９の（ａ）の位置にありこれを０°とする。この時、送話部５の上端側に取り付けたロック手段４の永久磁石４ｂは、受話部１側に移動可能に取り付けた磁性片４ｄを磁力吸着していることから、送話部５と受話部１は二つ折りして閉じた状態でロックされている。
【００１９】
この状態から、受話部１を片手に立てた状態で片手に持ち、指（人差し指）で、ロック手段４の押釦４ａを押すと、磁性片４ｄがスプリング４ｃの弾力に抗して摺動し、永久磁石４ｂとの相対位置によりずれるので、磁力吸着によるロックが解除される。すると、キーボード部５ｂを有する送話部５は、図９と図１０に示したように、固定カム８のカム部１０の凸部９ｂ，９ｂが（ａ）位置から摺動カム１６のカム部１９の凸部１６ｃ，１６ｃの傾斜面を滑り降りる附勢力に伴う回転トルクによって自動的に１６０°まで開かれる。この時の一方のカム部１０の凸部９ｂ，９ｂの他方のカム部１９の凸部１６ｃ，１６ｃに対する位置は（ｃ）の位置である。この時、凸部９ｂ，９ｂは初動時には凸部１６ｃ，１６ｃの傾斜面を滑り降りるが、該凸部１６ｃ，１６ｃの（ｂ）の位置から該凸部１６ｃ，１６ｃは昇り傾斜となるので、徐々にブレーキがかかることになることと、より強く軸受部９へ押圧されることになるフリクションプレート１８によるフリクション抵抗により、急激に開かれることがない。そして、上述したように凸部９ｂ，９ｂが凸部１６ｃ，１６ｃの（ｃ）の位置に来ると、凹部１６ｂ，１６ｂ内に落ち込み、この位置でクリック停止する。
【００２０】
したがって、この位置で外部よりかかってくる電話を受け、或は外部へ電話をするために、片手で送話部を持ち、もう一方の手でキーボード部を操作して、外部へ電話をかけることが可能となるものである。
【００２１】
さらに、送話部５をもっと開きたい場合には、送話部５或は受話部１の一方を片手で保持して、他方を開成方向へ押すと、カム部１０の凸部９ｂ，９ｂはコンプレッションスプリングから成る弾性手段１７の押圧力に抗して凹部１６ｂ，１６ｂより脱出して１８０°の開成を可能とするものである。この位置を図１０に（ｄ）として示した。１８０°まで開かれると、受話部１と送話部５のそれぞれの連結端部が当接して、それ以上の開成を阻止する。
【００２２】
受話部１のディスプレー部１ｂを操作者の見易い角度にするために、開成角度の調節を図１２に示したようにする場合には、図１０に示したように、９０°〜１４５°の間は、フリクションプレート１８のフリクションと固定カム８のカム部１０及び摺動カム１６のカム部１９によるカムトルクによりフリーストップが可能となり、任意の開成角度で停止することができるものである。
【００２３】
【発明の効果】
この発明は以上のように構成したので、次のような効果を奏し得る。
【００２４】
請求項１のように構成すると、開閉装置それ自体を単体で構成し、各開閉体の連結部に設けた各変形取付孔の一方へ固定カムを挿入係合させ、他方へシャフトを挿入係合させるのみで、前記固定カムが一方の開閉体の連結部と共に回転し、前記摺動カムが他方の開閉体の連結部と共に回転するように両者を連結できるので、開閉装置の開閉体に対する組み付けが極めて容易となり、製作コスト及び組付コストを下げコストダウンを図ることができるという効果を奏し得る。
【００２５】
請求項２のように構成すると、請求項１と同じ効果を奏した上で、携帯電話機の送話部と受話部を容易にかつ互いが相対的に開閉可能となるように、連結することができるという効果を奏し得る。
【図面の簡単な説明】
【図１】  この発明を実施した二つ折り式の携帯電話機を開いた状態の正面図である。
【図２】  この発明に係る開閉装置を二つ折り式の携帯電話機へ取り付ける場合を説明する分解斜視図である。
【図３】  この発明に係る開閉装置の取付状態を説明するための断面図である。
【図４】  この発明に係る開閉装置の内部構造を示す断面図である。
【図５】  この発明に係る開閉装置の動作を説明するための断面図である。
【図６】  この発明に係る開閉装置の分解斜視図である。
【図７】  固定カムの右側面図である。
【図８】  固定カムの断面図である。
【図９】  摺動カムの左側面図である。
【図１０】  摺動カムのカムの部分の展開図である。
【図１１】  この発明に係る開閉装置の動作を説明する説明図である。
【図１２】  この発明に係る開閉装置の他の動作を説明する説明図である。
【符号の説明】
１  受話部（開閉体）
１ｃ  連結部
１ｄ  変形取付孔
４  ロック手段
５  送話部（開閉体）
５ｃ  連結部
５ｄ  変形取付孔
６  開閉装置
７  開閉装置
８  固定カム
８ａ  係止溝
８ｂ  覆部
９  軸受部
９ｂ  凸部
１０  カム部
１１  回転シャフト
１６  摺動カム
１６ｂ  凹部
１６ｃ  凸部
１７  弾性手段
１９  カム部
【図１】
0004090341.tif 000002
【図２】
0004090341.tif 000003
【図３】
0004090341.tif 000004
【図４】
0004090341.tif 000005
【図５】
0004090341.tif 000006
【図６】
0004090341.tif 000007
【図７】
0004090341.tif 000008
【図８】
0004090341.tif 000009
【図９】
0004090341.tif 000010
【図１０】
0004090341.tif 000011
【図１１】
0004090341.tif 000012
【図１２】
0004090341.tif 000013